(57)【要約】【課題】撮像装置の本体と開閉可能な表示部とを電気的に接続するワイヤーハーネスが場所を取らないように効率良く配置されるようにして表示部を薄型化及び小型化した撮像装置を提供する。【解決手段】表示部の内部にある、ヒンジユニットを介して装置本体と表示部との間に配線される複数のケーブルからなるワイヤーハーネスを接続する接続部を有する接続ユニットの、前記ヒンジユニット側の辺の少なくとも一部に面取り部を設け、前記ワイヤーハーネスが前記面取り部を通って前記接続部に接続されるようにする。【選択図】図４
2011035829.tif 000002
【特許請求の範囲】
【請求項１】
装置本体に対して、ヒンジユニットを介して開閉可能に設けられた表示部と、
前記ヒンジユニットを介して前記装置本体と前記表示部との間に配線される複数のケーブルからなるワイヤーハーネスと、を有する撮像装置であって、
前記表示部の内部にある前記ワイヤーハーネスを接続する接続部を有する接続ユニットの、前記ヒンジユニット側の辺の少なくとも一部に面取り部を設け、前記ワイヤーハーネスが前記面取り部を通って前記接続部に接続されることを特徴とする撮像装置。
【請求項２】
前記面取り部は、前記ヒンジユニット側の辺の、前記ヒンジユニットから前記ワイヤーハーネスが出てくる位置に対向する位置に設けられることを特徴とする請求項１に記載の撮像装置。
【請求項３】
前記接続ユニットには画像を表示するための表示ユニットが含まれており、前記接続ユニットは、前記ヒンジユニット側の辺の前記面取り部が設けられていない位置に、前記表示ユニットの封止部を避けるための凹部が設けられることを特徴とする請求項１または２記載の撮像装置。
【発明の詳細な説明】
【技術分野】
【０００１】
本発明は、開閉動作及び回転動作可能な表示部を小型化及び薄型化した撮像装置に関する。
【背景技術】
【０００２】
デジタルカメラやビデオカメラ等の撮像装置では、通常、撮像された画像を表示する為のＬＣＤ等の表示部を搭載している。また、このような撮像装置には、撮像装置本体に対して開閉操作及び回転操作が可能なように装着され、使用時に見やすい角度に向けることができるバリアングルＬＣＤ表示部を搭載したものが提案されている（例えば、特許文献１参照）。
【先行技術文献】
【特許文献】
【０００３】
【特許文献１】特開２００９−０１７４２１号公報
【発明の概要】
【発明が解決しようとする課題】
【０００４】
バリアングルＬＣＤ表示部を有する撮像装置では、撮像装置本体とバリアングルＬＣＤ表示部とを、開閉および回転の機構を持つヒンジ部を介して装着している。このような撮像装置では、ヒンジ部内部を通る複数のケーブルを束ねたワイヤーハーネスによって撮像装置本体とバリアングルＬＣＤ表示部とが電気的に接続されている。
【０００５】
この撮像装置本体とバリアングルＬＣＤ表示部とのワイヤーハーネスによる接続部では、例えば、図７の模式図に例示するような接続構造が考えられる。
【０００６】
この接続構造では、図７（ａ）に例示するようにヒンジ部内部を通るワイヤーハーネス３２をヒンジ回転軸４０の中心より軸方向へ真っ直ぐに引き出し、このワイヤーハーネス３２を避けるようにＬＣＤユニット２５を配置することが考えられる。
【０００７】
このように構成した場合には、ＬＣＤユニット２５をヒンジ回転軸４０の近傍に配置することはできるが、厚さ方向でワイヤーハーネス３２を避ける必要がある為、バリアングルＬＣＤ表示部２全体の厚みが増えて薄型化ができなくなる。
【０００８】
あるいは、ＬＣＤユニット２５をヒンジ回転軸４０の中心軸と重なるように配置する構成をとる場合には、ＬＣＤユニット２５を避けるようにワイヤーハーネス３２を曲げて配置することになる。このように構成した場合には、ＬＣＤユニット２５とヒンジ回転軸４０の間にワイヤーハーネス３２を配置する為の空間が必要となり、バリアングルＬＣＤ表示部２の横幅が増えて小型化ができなくなる。
【０００９】
本発明の目的は、撮像装置の本体と開閉可能な表示部とを電気的に接続するワイヤーハーネスが場所を取らないように効率良く配置されるようにして表示部を薄型化及び小型化した撮像装置を提供することにある。
【課題を解決するための手段】
【００１０】
上記目的を達成するために、本発明の撮像装置は、装置本体に対して、ヒンジユニットを介して開閉可能に設けられた表示部と、前記ヒンジユニットを介して前記装置本体と前記表示部との間に配線される複数のケーブルからなるワイヤーハーネスと、を有する撮像装置であって、前記表示部の内部にある前記ワイヤーハーネスを接続する接続部を有する接続ユニットの、前記ヒンジユニット側の辺の少なくとも一部に面取り部を設け、前記ワイヤーハーネスが前記面取り部を通って前記接続部に接続されることを特徴とする。
【発明の効果】
【００１１】
本発明によれば、撮像装置の本体と開閉可能な表示部とを電気的に接続するワイヤーハーネスが場所を取らないように効率良く配置されるようにして表示部を薄型化及び小型化することができるという効果がある。
【図面の簡単な説明】
【００１２】
【図１】本発明の撮像装置の実施の形態に係わるデジタルカメラの背面斜視図である。
【図２】（ａ）は、バリアングルＬＣＤ表示部を開いた状態のデジタルカメラの背面斜視図であり、（ｂ）は、バリアングルＬＣＤ表示部の表示面を外側にして閉じた状態のデジタルカメラの背面斜視図である。
【図３】本発明の撮像装置におけるバリアングルＬＣＤ表示部の分解斜視図である。
【図４】（ａ）は、バリアングルＬＣＤ表示部のＬＣＤ後カバーをはずした状態でのデジタルカメラの背面斜視図であり、（ｂ）は、ヒンジの回転軸中心線（Ａ−Ａ）による要部拡大断面図である。
【図５】本発明の撮像装置におけるバリアングルＬＣＤ表示部のヒンジ近傍のワイヤーハーネスの配置を示す要部拡大斜視図である。
【図６】（ａ）は、ＬＣＤバックライトユニットとヒンジ部とワイヤーハーネスの配置を示す斜視図であり、（ｂ）は、図６(ａ)中のＤ部分を拡大して示す要部拡大斜視図である。
【図７】（ａ）（ｂ）は、それぞれ従来のＬＣＤユニットとワイヤーハーネスの配置構造を例示する模式図である。
【発明を実施するための形態】
【００１３】
以下、本発明の撮像装置の実施の形態に係わるデジタルカメラについて図面を参照して詳細に説明する。
【００１４】
図１の背面斜視図において、１は、デジタルカメラであり、その背面には、開閉操作および回転操作が可能な撮影画像を表示するバリアングルＬＣＤ表示部２が配置されている。
【００１５】
このバリアングルＬＣＤ表示部２は、開閉操作及び回転操作可能に構成されたヒンジ部３を介して、デジタルカメラ本体に接続されている。バリアングルＬＣＤ表示部２の図に向かって右側には、操作ボタン７が配置されている。この操作ボタン７は、ユーザが操作して、撮影画像をバリアングルＬＣＤ表示部２に表示させる等の様々な設定を行うためのものである。また、デジタルカメラ１の上面部には、動画や静止画の撮影モードを切り替えることができるモードダイアル４、撮影時にシャッターを切る為のシャッターボタン５及びズーム操作を行うためのズームレバー６等が配置されている。
【００１６】
このデジタルカメラ１では、バリアングルＬＣＤ表示部２が、図２（ａ）に示す開状態と、図２（ｂ）に示す閉状態との間で開閉操作可能に構成されている。さらに、このデジタルカメラ１では、バリアングルＬＣＤ表示部２が開状態において回転操作が可能となり、様々な角度から見ることができるように装着された表示部として構成されている。
【００１７】
次に、バリアングルＬＣＤ表示部２の内部構成について説明する。図３の分解斜視図に示すように、バリアングルＬＣＤ表示部２の外観は、ＬＣＤ前カバー２１とＬＣＤ後カバー３１によって形成されている。
【００１８】
このＬＣＤ前カバー２１には、マグネット２２ａ、２２ｂが、いわゆるボンド付けにより貼着されている。また、ＬＣＤクッション２３は、両面テープによってＬＣＤ前カバー２１に貼着されている。
【００１９】
また、ＬＣＤバックライトホルダー２６には、バックライトユニット２７を組み込み、その上からバックライトフレーム２８を重ねた状態とし、ＬＣＤバックライトホルダー２６のツメを利用して固定し、これらを一体化する。
【００２０】
同様に、ＬＣＤユニット２５（表示ユニット）をＬＣＤバックライトホルダー２６に組み込み、その上からＬＣＤフレーム２４を重ねた状態とし、バックライトフレーム２８の突起を利用して固定することにより、これらを一体化する。
【００２１】
また、バックライトフレーム２８には、位置決め２８ｂ〜ｅを利用して位置決めした状態で、両面テープによってＬＣＤ基板２９を貼り付ける。
【００２２】
ＬＣＤとバックライトとＬＣＤ基板とを一体化したユニット（接続ユニット）は、ＬＣＤ前カバー２１に対して、引っ掛けを利用して組み込み、バックライトフレーム２８側から通したビス３６ａ、３６ｂによって、ＬＣＤ前カバー２１に締結する。
【００２３】
また、このバックライトフレーム２８には、ヒンジユニット３４近傍の所定部分に切り欠き部（又は開口部）２８ａを設ける。この切り欠き部２８ａは、複数のケーブルからなるワイヤーハーネス３２を滑らかな斜状に曲げた状態で通す通路の一部を構成することになる。
【００２４】
さらに、ＬＣＤ前カバー２１には、ＬＣＤ基板ホルダー３０を、ＬＣＤ基板２９を押さえるように組み込み、ビス３７ａでＬＣＤ前カバー２１に固定する。
【００２５】
また、このデジタルカメラ１では、デジタルカメラの装置本体から引き出されたワイヤーハーネス３２を、ヒンジユニット３４の内部を通し、バリアングルＬＣＤ表示部２のＬＣＤ基板２９のコネクタ（接続部）に電気的に接続するように配線される。
【００２６】
このため、ワイヤーハーネス３２を通したヒンジユニット３４とヒンジ回転プレート３３を一緒にＬＣＤ前カバー２１に組み込み、これらをビス３７ｂでＬＣＤ前カバー２１に締結する。
【００２７】
これにより、バリアングルＬＣＤ表示部２には、バリアングルＬＣＤ表示部２を開閉操作及び回転操作可能に支受するためのヒンジ部３が一体的に組み付けられる。
【００２８】
最後に、上述のように組み立ててきたものに、ＬＣＤ後カバー３１とヒンジカバー３５とを組み付け、ビス３８ａ〜ｄおよび３９ａ〜ｂで締結して、バリアングルＬＣＤ表示部２を完成する。
【００２９】
次に、上述のように構成したバリアングルＬＣＤ表示部２におけるワイヤーハーネス３２とＬＣＤユニット２５との配置構造について説明する。
【００３０】
バリアングルＬＣＤ表示部２のＬＣＤ後カバーをはずした状態でのデジタルカメラ１の背面図を図４（ａ）に示す。このバリアングルＬＣＤ表示部２には、ＬＣＤバックライトホルダー２６にワイヤーハーネス３２をガイドする為の面取り部（Ｃ面形状）２６ａを設ける。この面取り部２６ａは、ワイヤーハーネス３２を滑らかな斜状に曲げた状態で通す通路の一部を構成することになる。この面取り部２６ａは、ＬＣＤバックライトホルダー２６のヒンジユニット３４が取り付けられる端辺部の中央付近の一部分に、バックライトフレーム２８側の角部分を斜めに切欠した凹部状に形成したものである。このように形成された面取り部２６ａは、その斜面がワイヤーハーネス３２を斜めに曲げた状態で通せるように、傾斜角度が設定されている。
【００３１】
このように面取り部２６ａを設けた場合には、図４（ｂ）に示すように、ヒンジ回転軸４０のより近く（図に向かって左寄り）にＬＣＤユニット２５を配置することが可能となる。すなわち、面取り部２６ａを設けた場合には、ＬＣＤユニット２５をヒンジ部３に対して、ワイヤーハーネス３２の直径よりも短い距離に接近させて配置することが可能となる。
【００３２】
また、この面取り部２６ａを設けた場合には、図４（ｂ）に示すように、ヒンジ回転軸４０の中心線Ｃに対して、より近く（図に向かって上下方向）にワイヤーハーネス３２やＬＣＤユニット２５を配置することが可能となる。したがって、ヒンジユニットからワイヤーハーネス３２が出てくる位置に対向する位置に面取り部２６ａを設けることで、効率良くワイヤーハーネス３２やＬＣＤユニット２５を配置することができ、バリアングルＬＣＤ表示部２の小型化及び薄型化が可能となる。
【００３３】
以上のように、接続ユニットのヒンジユニット側の辺の少なくとも一部に面取り部を設け、ワイヤーハーネス３２が前記面取り部を通って接続部に接続される構成とすることで、バリアングルＬＣＤ表示部２の小型化及び薄型化が可能となる。
【００３４】
次に、ＬＣＤユニットの封止部２５ａ近傍の配置構成について、図６を参照して説明する。図３に示すような、ＬＣＤユニット２５のフレキシブルプリント基板がヒンジ部３とは反対側の位置に設けられた構成では、ＬＣＤユニット２５の封止部２５ａがフレキシブルプリント基板とは反対側に設けられるのが一般的である。しかしながら、上述したように本実施の形態では、接続ユニットのヒンジ部側の面の少なくとも一部には面取り部が設けられるため、封止部２５ａと面取り部との位置関係を考慮する必要がある。
【００３５】
そこで、このバリアングルＬＣＤ表示部２では、上述したように、その短辺の中央付近に、ワイヤーハーネス３２をガイドする面取り部２６ａをＬＣＤバックライトホルダー２６の外周側に配置する。これと共に、このバリアングルＬＣＤ表示部２では、その短辺の中央付近から外れた部分に、ＬＣＤユニットの封止部２５ａを避ける為の凹部２６ｂをＬＣＤバックライトホルダー２６の外周側に配置する。
【００３６】
このように構成されたバリアングルＬＣＤ表示部２では、ＬＣＤバックライトホルダー２６の強度を損なうことなく、バリアングルＬＣＤ表示部２をより小型化できる。
【００３７】
なお、本発明に係わる撮像装置では、表示部が、装置本体に対してヒンジユニットを介して、少なくとも開閉可能に装着されたものであっても良い。また、本発明に係わる撮像装置では、バリアングルＬＣＤ表示部２をＬＣＤ以外の表示装置を利用して構成しても良い。
【符号の説明】
【００３８】
２    バリアングルＬＣＤ表示部
３    ヒンジ部
２５  ＬＣＤユニット
２５ａ  封止部
２６  ＬＣＤバックライトホルダー
２６ａ  面取り部
２６ｂ  凹部
３２  ワイヤーハーネス
【図１】
2011035829.tif 000003
【図２】
2011035829.tif 000004
【図３】
2011035829.tif 000005
【図４】
2011035829.tif 000006
【図５】
2011035829.tif 000007
【図６】
2011035829.tif 000008
【図７】
2011035829.tif 000009